(57)【要約】【課題】  【解決手段】折り畳み式ディスプレイスタンド（１０）は、２枚の段付きサイドパネル（１４，１５）により構成される３面オープンシェルフ（１１，１２，１３）と、フロントパネル（１６）と、リアパネル（１７）とを具え、１枚の幾何学形状のシート材から構成される。このスタンドは、サイドパネルに対向して形成された２本の垂直折り曲げ線により折り畳んだ状態とすることができる。このスタンドは折り畳んだ状態でフロントパネルがリアパネルに近接する。フロントパネルとリアパネルの上側エクステンションとして設けられた複数のパネルにより複数のシェルフが構成される。これらのパネルは、水平折り曲げ線（３０，３１，３２）で折り畳むことにより、サイドパネルの段付き上側エッジにそれぞれ水平載置される３段のシェルフを構成する。フロントパネルとリアパネルのパネル自由端縁には開口スロットが形成され、これがサイドパネルの上側エッジに係止して、側部オープンシェルフが水平位置に確実に固定される。
2006527030.tif 000002
【特許請求の範囲】
【請求項１】
オープンシェルフを具える折り畳み可能な段付きディスプレイスタンドであって、
高さの異なる複数の上側水平エッジが設けられた互いに対称な２枚の段付きサイドパネルと、フロントパネルと、リアパネルとを具え、
前記サイドパネルと、フロントパネルと、リアパネルとが１枚のシート材からなる１つの幾何学形状から構成され、
前記フロントパネルが、水平折り曲げ線で折り曲げることにより前記サイドパネルの第１の所定の上側エッジに載置されるシェルフのいずれかを構成する複数の隣接する四角いパネルを具える上側エクステンションを具え、
前記リアパネルが、別に、水平折り曲げ線で折り曲げることにより前記サイドパネルの第２の所定の上側エッジに載置されるシェルフの別のいずれかを構成する複数の隣接する四角いパネルを具える上側エクステンションを具え、
前記サイドパネルの一方に設けられた第１の垂直折り曲げ線と、他方のサイドパネルにおいて前記第１の垂直折り曲げ線と正反対の位置に設けられた第２の垂直折り曲げ線とを具え、前記第１の垂直折り曲げ線と前記第２の垂直折り曲げ線により前記フロントパネルと前記リアパネルとを互いに近接させて前記ディスプレイスタンドを折り畳んだ状態にできることを特徴とするディスプレイスタンド。
【請求項２】
請求項１に記載の折り畳み可能な段付きディスプレイスタンドにおいて、前記フロントパネルが、自由端縁のある端部パネルと、前記自由端縁に形成された２つの端部開口スロットとを具え、前記端部開口スロットが前記サイドパネルの所定の上側エッジと係合して前記シェルフを固定状態とすることを特徴とするディスプレイスタンド。
【請求項３】
請求項２に記載の折り畳み可能な段付きディスプレイスタンドにおいて、前記リアパネルが、自由端縁のある第２の端部パネルと、前記第２の端部パネルの自由端縁に形成され前記サイドパネルの所定の別の上側エッジと係合して前記シェルフをさらなる固定状態とする２つの第２の端部開口スロットとを具えることを特徴とするディスプレイスタンド。
【請求項４】
３段の側部オープンシェルフを具える折り畳み可能なディスプレイスタンドであって、
高さの異なる３段の上側水平エッジが設けられた互いに対称な２枚の段付きサイドパネルと、フロントパネルと、リアパネルとを具え、
前記サイドパネルと、フロントパネルと、リアパネルとが１枚のシート材からなる１つの幾何学形状で構成されているとともに、隣り合う垂直折り曲げ線で折り曲げることにより概略四角形のフレームを構成し、
前記フロントパネルが、６本の水平折り曲げ線を折り曲げることにより前記サイドパネルの所定の対向する上側エッジに水平載置される下側オープンシェルフと中央オープンシェルフとを構成する６枚の隣接する四角いパネルを具える上側エクステンションセクションを具え、
前記リアパネルが、別に、３本の水平折り曲げ線を折り曲げることにより前記サイドパネルの別の所定の上側エッジに水平載置されるシェルフを構成する３本の隣接する四角いパネルを具える上側エクステンションセクションを具えることを特徴とするディスプレイスタンド。
【請求項５】
請求項４に記載の折り畳み可能なディスプレイスタンドにおいて、前記サイドパネルの正反対の位置に２本の垂直折り曲げ線を具え、当該垂直折り曲げ線により前記フロントパネルと前記リアパネルとを互いに近接させて前記四角形のフレームを折り畳んだ状態にできることを特徴とするディスプレイスタンド。
【請求項６】
請求項５に記載の折り畳み可能なディスプレイスタンドにおいて、前記フロントパネルが、間隔を隔てた２つの端部開口スロットを具える自由端縁のある端部パネルを具え、前記端部開口スロットが前記サイドパネルの所定の上側エッジと係合して前記中央シェルフを固定することを特徴とするディスプレイスタンド。
【請求項７】
請求項６に記載の折り畳み可能な段付きディスプレイスタンドにおいて、前記リアパネルが、第３の水平折り曲げ線を介して隣り合う第２および第３のパネルと、前記第３の水平折り曲げ線に間隔を隔てて形成された２本の細長いスロット開口とを具え、前記細長いスロット開口が、前記第２のパネルと第３のパネルが前記第３の水平折り曲げ線で折り畳まれたときに前記サイドパネルの所定の上側エッジに係止する２つの開口端部スロットを規定することを特徴とするディスプレイスタンド。
【請求項８】
請求項７に記載の折り畳み可能なディスプレイスタンドにおいて、前記リアパネルが、自由端縁のある端部パネルと、前記自由端縁に間隔を隔てて形成され、前記サイドパネルの所定の上側エッジに係合して前記上側シェルフを前記フレームに固定する２つのスロットとを具えることを特徴とするディスプレイスタンド。
【請求項９】
請求項５に記載の折り畳み可能なディスプレイスタンドにおいて、前記リアパネルの垂直自由端縁に設けられた垂直取り付け片を具え、当該垂直取り付け片を前記サイドパネルのいずれかの垂直自由端縁に取り付けて前記四角形のフレームを構成することを特徴とするディスプレイスタンド。
【請求項１０】
請求項８に記載の折り畳み可能なディスプレイスタンドにおいて、前記サイドパネルの上側エッジに設けられた補強エクステンションセクションを具え、当該補強エクステンションセクションを前記上側エッジに対して折り曲げ、前記上側シェルフと中央シェルフを補強支持することを特徴とするディスプレイスタンド。
【請求項１１】
請求項１０に記載の折り畳み可能なディスプレイスタンドにおいて、前記フロントパネルの前記上側エクステンションセクションの第５パネルの一方の側と、前記リアパネルの別の上側エクステンションセクションの第１パネルの一方の側とに付加される２枚の補強パネルを具え、当該補強パネルが前記上側シェルフと前記中央シェルフの下面に取り付けられ補強することを特徴とするディスプレイスタンド。
【請求項１２】
請求項１１に記載の折り畳み可能なディスプレイスタンドにおいて、前記フロントパネルと前記上側エクステンションセクションとの間の水平折り曲げ線に間隔を隔てて形成された２つのアーチ型スコアラインを具え、前記上側エクステンションセクションが前記フロントパネルに対して折り曲げられ前記下側シェルフが水平位置に形成された場合に、前記アーチ型スコアラインが前記下側シェルフの前端縁に２つの直立したアーチ型のアバットメントを形成することを特徴とするディスプレイスタンド。
【請求項１３】
請求項１０に記載の折り畳み可能なディスプレイスタンドにおいて、前記補強エクステンションセクションに形成され、前記補強エクステンションセクションに対して折り曲げられたときに前記上側シェルフと中央シェルフの下に支持アームを形成するＬ字形外側エクステンションを具えることを特徴とするディスプレイスタンド。
【発明の詳細な説明】
【技術分野】
【０００１】
本発明はディスプレイスタンドに関し、特に、厚紙や段ボール紙など１枚の板状部材から構成された側部オープンシェルフを有する段付きディスプレイスタンドに関する。
【背景技術】
【０００２】
厚紙で作成されるディスプレイスタンドは便利で経済的である。一般に、直立構造で２枚の平行する側壁を有するディスプレイスタンドでは、三面で囲われた垂直な空間が規定された複数の棚が設けられている。このようなディスプレイスタンドの問題は、２枚の側壁が両側からの展示物への視線を遮ってしまうことである。さらに、このスタンドは利用者が組み立てる多数の構成要素でなる。構成要素が多数あるため、組み立ては時間がかかり面倒である。１枚の板状部材からなり、多様なスコアラインに沿って折ることにより複数の棚を備えるスタンドが形成されるディスプレイスタンドが提案されてきた。米国特許番号第4,311,100にJ. M. Gardnerらによりこのようなタイプのマルチシェルフディスプレイスタンドが開示されている。しかしながら、このスタンドも側壁があるためシェルフ上の展示物の側方からの視線が遮られてしまい、組み立てが困難で、また輸送や収納を容易にすべく折り畳んだ状態にできるものでもない。
【発明の開示】
【発明が解決しようとする課題】
【０００３】
本発明の主たる目的は、展示物を両サイドやある程度後側からも見ることのできるオープンシェルフを具える段付きディスプレイスタンドを提供することにある。
【０００４】
本発明の別の目的は、１枚のシート材から構成された段付きディスプレイスタンドを提供することである。
【０００５】
本発明の別の目的は、輸送と収納を容易にすべく折り畳んだ状態にできる折り畳み式段付きディスプレイスタンドを提供することである。
【０００６】
本発明のさらなる別の目的は、容易かつ手早く組み立てることのできる段付きディスプレイスタンドを提供することである。
【課題を解決するための手段】
【０００７】
上記目的および本発明の新規な特徴は、添付の図面を参照しながら以下の詳細な説明を参照することにより一層明らかになる。
【発明を実施するための最良の形態】
【０００８】
図面を参照すると同じ符号は異なる図面で関連する部分を示しており、本発明のディスプレイスタンド１０は３枚のオープンシェルフ１１，１２，１３を具えている。実施例では簡単に３枚の棚を示す。本発明では複数段の棚を設けることができる。
【０００９】
ディスプレイスタンド１０は、互いに対称な２枚の階段状のサイドパネル１４，１５と、フロントパネル１６と、リアパネル１７とを具えている。左側パネル１４は、上部下側水平エッジ１８と、上部中央水平エッジ１９と、上部上側水平エッジ２０とを具える。同様に、右側パネル１５は、上部下側エッジ１８と同じ高さの上部下側水平エッジ２１と、上部中央エッジ１９と同じ高さの上部中央水平エッジ２２と、上部上側エッジ２０と同じ高さの上部上側水平エッジ２３とを具える。
【００１０】
リアパネル１７は概略四角形のパネルであり、２枚のサイドパネル１４，１５の上端縁と同じ高さを有する。概略四角形の上部エクステンション２４がリアパネル１７の上部エッジ２５から上側に延びている。この上部エクステンション２４はリアパネル１７より幅広に構成され、リアパネル１７に対し上部エッジ２５で折り曲げ可能であり、第１セクション２６と、第２セクション２７と、第３セクション２８と、上端セクション２９とからなる。第２セクション２７は第１セクション２６に対し水平折り曲げ線で折り曲げ可能である。第３セクション２８は第２セクション２７に対して水平折り曲げ線３１で折り曲げ可能であり、上端セクション２９は第３セクション２８に対して水平折り曲げ線３２に沿って折り曲げ可能である。上端セクション２９の上端縁３５には、２つの垂直開口端部スロット３３，３４が設けられている。これら開口端部スロット３３，３４の距離はリアパネル１７の幅と等しい。
【００１１】
フロントパネル１６は方形であり、リアパネル１７と同じ幅であり、第１セクション３７と、第２セクション３８と、第４セクション３９と、第５セクション４０と第６セクション４１と最上部の自由端部である第６セクション４２とでなる幅広な上部エクステンション部３６を具える。第１セクション３７の高さはサイドパネル１４，１５の上部下側エッジ１８，２１の長さと等しい。第３セクション３９の高さは、上部下側エッジ１８と上部中央エッジ１９間と、上部下側エッジ２１と上部中央エッジ２２間の高さと等しい。第１セクション３７はフロントパネル１６に対して水平折り曲げ線４３で折り曲げ可能である。第２セクション３８は第１セクション３７に対して水平折り曲げ線４４で折り曲げ可能である。第３セクション３９は第２セクション３８に対して水平折り曲げ線４５で折り曲げ可能である。第４セクション４０は、第３セクション３９に対して水平折り曲げ線４６で折り曲げ可能である。第５セクション４１は第４セクション４０に対して水平折り曲げ線４７で折り曲げ可能であり、そして上側自由端部の第６セクション４２は第５セクション４１に対して水平折り曲げ線４８で折り曲げ可能である。２つの垂直スロット４９Ａと５０Ａが、第３セクション３８と第４セクション３９の間の水平ライン４５上に形成されている。これら垂直スロット４９Ａと５０Ａの距離はフロントパネル１６の幅と等しく、また２つの端部開口スロット４９Ｂ，５０Ｂが上側自由端部セクション４２の上端縁に形成されている。これらの開口端部スロット４９、５０間の距離はフロントパネル１６の幅と等しい。
【００１２】
もっとも全体構成をよく示すのが図２であり、フロントパネル、リアパネル、サイドパネル、エクステンション部が段ボール紙などの１枚のシート材で形成されている。リアパネル１７は右のサイドパネル１５に垂直折り曲げ線５１で連接している。この右のサイドパネル１５はフロントパネル１６に垂直折り曲げ線５２で連接しており、フロントパネル１６は左のサイドパネル１４に垂直折り曲げ線５３で連接している。
【００１３】
垂直折り曲げ線５４は、上側中央エッジ１９の前端縁からサイドパネル１４の下端部まで延びており、これと同様に垂直折り曲げ線５５が上側中央エッジ２２の前端縁からサイドパネル１５の下端部まで延びている。
【００１４】
リアパネル１７の側部には垂直取り付け片５６が形成されている。
【００１５】
任意であるが、左のサイドパネル１４の上側中央エッジ１９の上側に折り曲げ式の第１の方形補強セクション５７が設けられている。第３の方形補強セクション５９が右のサイドパネル１５の上部中央エッジ２２の上側に設けられており、第４の方形補強セクション６０が右のサイドパネル１５の上端エッジ２３の上側に設けられている。折り曲げ式の方形補強パネル６１が、フロントパネル１６の上側エクステンション部３６の第５セクション４１から横方向に伸びており、同様に折り曲げ式の方形補強パネル６２がリアパネル１７の上部エクステンション２４の第１セクション２６から横方向に延びている。
【００１６】
ディスプレイスタンド１０は、左のサイドパネル１４、フロントパネル１６、右のサイドパネル１５、リアパネルを垂直折り曲げ線５１，５２，５３で折り曲げて部分的に組み上げる。垂直取り付け片５６を接着剤などで垂直サイドエッジ６３に固定する。これにより、部分的に組み立てたスタンドは図３に示す形態となる。この部分的に組み立てたスタンドは、サイドパネル１４，１５を外から押してこれらを垂直折り曲げ線５４，５５で折り曲げ、図４に示す折り畳み状態とすることができる。この折り畳み状態では、フロントパネル１４がリアパネル１７に近接し、輸送や収納に便利な平坦な組み立て品とすることができる。
【００１７】
ディスプレイスタンド１０を展示場所で組み上げるには、フロントパネル１６をリアパネル１７から引き離し、四角い基礎サポートフレームを形成する。次に、フロントパネル１６側の上部エクステンション部３６の各セクションを図３に示すように、第１セクション３７と第２セクション３８間の開口スロット４９Ａ、５０Ａが２つの端部開口スロットをなすように折り曲げる。上部エクステンション部３６を、第３セクション３９が両サイドパネル１４，１５の中央セクションに当接するよう折り返す；この時点において、第１セクション３７を下側に押すと開口スロット４９Ａ、５０Ａがサイドパネルの上部下側エッジ１８，２１に係止し、第１セクションが上部下側エッジ１８，２１の上に固定的に水平載置され下側シェルフ１３を構成する。このように第１セクション３７をサイドパネルに載置すると、スタンドの方形フレームが確実に固定される。同時に、第３セクション３９がサイドパネル１４，１５の中央セクションのサイドエッジに垂直方向に当接する。次に、第５セクション４１を下側に押して、第６自由端部セクション４２の開口スロット４９，５０をサイドパネルに係止させ、これにより第５セクション４１がサイドパネルに確実に係止しサイドパネルの中央セクションの上端エッジ１９，２２に水平に載置されて、中央シェルフ１２が構成される。
【００１８】
シェルフ１２，１３を形成したら、リアパネル１７の上側エクステンション２４の各セクションを図３に示すように折り曲げ、その後第１セクション２６を前に倒してサイドパネル１４，１５の頂部エッジ２０，２３に水平載置し、上側シェルフ１１を構成する。上側シェルフ１１は、第４セクション２９の開口スロット３３，３４がサイドパネルの頂部セクションのサイドエッジに係止させることにより確実に固定され、これにより第３セクション２８がサイドパネルの頂部セクションのサイドエッジに隣接した場所に確実に固定される。ディスプレイスタンド１０は上述の工程を逆に行うことで、簡単に手早く折り畳んだ状態に戻すことができる。
【００１９】
オプションの補強セクション５７，５８，５９，６０は上側および中央シェルフ１１，１２にさらなる支持構造を付与し、サイドパネル１４，１５の上部エッジ１９，２０，２２，２３に加わる水平曲げ力に対抗する。さらに、補強パネル６１，６２を折り曲げて、接着剤でセクション４１、２６の下側にそれぞれ固定することにより、上側および下側シェルフ１１，１３が補強される。
【００２０】
２つのアーチ形のスコアライン６３，６４が水平折り曲げ線４３に間隔を空けて設けられており、これによりディスプレイスタンド１０を組み立てたときに下側シェルフ１３の前側エッジに２つのアーチ形のアバットメント６５，６６が形成される。これらのアバットメントは、下側シェルフ１３から展示物が前端縁を越えて落ちるのを防止する。
【００２１】
本発明にかかるディスプレイスタンド１０の別の実施例を図５乃至図８に示す。この実施例では、補強セクション５７，５８，５９，６０が概略台形であり、図７に最もよく示すように、それぞれ概略Ｌ字型の折り曲げ式外側エクステンション６７，６８，６９，７０を具えている。さらに、図に示すようにセクション３９と４０にまたがる垂直スロット７１が折り曲げ線４６の中央に設けられ、また図に示すように、セクション２７と２８にまたがる第２の垂直スロット７２が折り曲げ線３１の中央に設けられている。補強セクション６９と６７をディスプレイスタンドの内側に折り曲げると、図５に最もよく示されるように、これらはスロット７１，７２に係止してシェルフ１１、１２の下側に延在する水平支持板７３，７４を形成する。
【００２２】
上側シェルフ１３の後側に垂直ディスプレイパネル７５を設けて、ディスプレイスタンド１０に展示した商品についての美術的または記述的な広告を映し出してもよい。
【００２３】
さらなる分析を行うことなく、本発明の要旨は上記により完全に明確となり、誰でも現在の知識をもって、従来例から見た本発明の特徴や、包括的または個別的な目的による適切な構成の本質特性を省略することなく本発明を多種の応用例へと適用することができ、したがって、このような応用例は添付のクレームの趣旨および範囲と均等であると理解されるべきである。
【図面の簡単な説明】
【００２４】
【図１】図１は、本発明の段付きディスプレイスタンドの斜視図である。
【図２】図２は、段付きディスプレイスタンドを作成する１枚のシート材の輪郭を示す図である。
【図３】図３は、段付きディスプレイスタンドを一部組み立てて開口状態とした図である。
【図４】図４は、段付きディスプレイスタンドを輸送や収納のために折り畳んだ状態とした斜視図である。
【図５】図５は、上の張り出し棚に補強部材を設けた段付きディスプレイスタンドの別の実施例を示す図である。
【図６】図６は、別の実施例の段付きディスプレイスタンドを作成する１枚のシート材の輪郭を示す図である。
【図７】図７は、別の実施例の段付きディスプレイスタンドを一部組み立てて開口状態とした図である。
【図８】図８は、別の実施例の段付きディスプレイスタンドを輸送や収納のために折り畳んだ状態とした斜視図である。
【図１】
2006527030.tif 000003
【図２】
2006527030.tif 000004
【図３】
2006527030.tif 000005
【図４】
2006527030.tif 000006
【図５】
2006527030.tif 000007
【図６】
2006527030.tif 000008
【図７】
2006527030.tif 000009
【図８】
2006527030.tif 000010
【国際調査報告】
2006527030.tif 000011
2006527030.tif 000012